(57)【要約】      （修正有）【課題】オートロック自動ドアーの隙間から紙などを挿入してドアーを開けるという、不法進入を防止する。【解決手段】鍵スイッチＣを開錠していないＯＦＦの状態で、センサーＡが人や物などを感知した状態で、センサーＢが人や物などを感知しても、ドアー開閉駆動装置Ｄは働かず、ドアーＦ及びドアーＧは閉まったままである。センサーＡとセンサーＢが同時に人や物などを感知しているときには、ドアー開閉駆動装置への駆動電源を遮断するようなスイッチ回路を採用したので、不法侵入を防止できる。【選択図】図１
0003103496.tif 000002
【実用新案登録請求の範囲】
【請求項１】
マンションの玄関などの入口に設置したオートロック自動ドアー開閉装置のドアー外側センサーが人や物などを感知しているときに、ドアー内側センサーが同時に人や物などを感知した場合には、ドアーを開かないという仕組みにしたオートロック自動ドアー開閉装置。
【考案の詳細な説明】
【技術分野】
【０００１】  本考案は、オートロック自動ドアー開閉装置のセンサーを不正に働かせて、ドアーを開けて進入することを防止するものである。
【背景技術】
【０００２】  マンションなどの玄関に設置されたオートロック自動ドアー開閉装置は、マンション居住者など特定の人に対しては、共通鍵にて鍵スイッチを開錠することにより、玄関の外側に設置したセンサーが人や物などを感知してオートロック自動ドアー開閉装置が開いて中に入ることが出来る仕組みになっている。
また、ドアーの内側から出る人は、玄関の内側に設置されたセンサーが人や物などを感知してオートロック自動的ドアー開閉装置を開ける仕組みになっている。
実用のオートロック自動ドアー開閉装置は、通常の使用方法によるものであれば実用上十分であった。【０００３】  しかし、現実的にはドアーの隙間から紙などを挿入して、ドアー内側センサースイッチに感知させてオートロック自動ドアーを開けて進入できるという欠点があった。【０００４】  マンションなどの玄関からの不法侵入による被害多発の現状において、オートロック自動ドアー開閉装置が鍵を使用しなくても簡単に開く方法があることは、本来の主たる機能としてのオートロック自動ドアー開閉装置の目的を果たしていない問題があった。【０００５】  この改善策として、Ａ（ドアー外側センサースイッチ）が人や物などを感知しているときに、同時にＢ（ドアー内側センサースイッチ）が人や物などを感知したときは、ドアーを開かないというスイッチの組合せにする方法がある。図２はこの方法によるスイッチ回路図である。
その他のドアー開閉の機能は従来の技術による。
【考案の開示】
【考案が解決しようとする課題】
【０００６】  解決しようとする問題点は、オートロック自動ドアーの外側より、ドアーの隙間に紙などを挿入してドアー内側センサースイッチに感知させて、オートロック自動ドアーを不正に開けてしまうという、不法進入を防止できない点である。
【課題を解決するための手段】
【０００７】  本考案は、ドアー外側センサースイッチが人や物などを感知しているときに、同時にドアー内側センサースイッチが人や物などを感知したときにはドアーを開かないスイッチの組合せにすることを最も主要な特徴とする。
【考案の効果】
【０００８】  本考案のオートロック自動ドアー開閉装置は、所定の鍵を持たない一般の人が容易に進入できないように、不法侵入を防止できる利点がある。
【考案を実施するための最良の形態】
【０００９】  従来のオートロック自動開閉装置の形状を変更することなく、使用面においてもほとんど従来どおりで、不法進入を防止する目的を実現した。
【実施例１】
【００１０】  図１は、本考案装置の１実施例の断面図であって、Ａはドアー外側センサースイッチ、Ｂはドアー内側センサースイッチ、Ｃは鍵スイッチ、Ｄはドアー開閉駆動装置、Ｅはドアーの１枚、Ｆはドアーのもう１枚である。【００１１】  鍵スイッチＣを開錠していないＯＦＦの状態で、センサーＡが人や物などを感知した状態で、センサーＢが人や物などを感知しても、ドアー開閉駆動装置Ｄは働かず、ドアーＦ及びドアーＧは閉まったままである。本考案の主体は、センサースイッチ回路の組合せにあるので、電気、電子、機構系の説明は省略する。【００１２】  不法侵入手口の代表的なものは、ドアー入口に立った状態で、ドアーＦとドアーＧの隙間から紙などを挿入して、センサーＢを働かせて不法にドアーを開けるのであるが、センサーＡとセンサーＢが同時に人や物などを感知しているときには、ドアー開閉駆動装置への駆動電源を遮断するようなスイッチ回路を採用したので、不法侵入を防止できる効果がある。【００１３】  図２は、不法侵入防止オートロック自動ドアー開閉装置のセンサースイッチ回路図及び関連機器機能の電気的回路図である。【００１４】  センサーＡ（ドアー外側センサースイッチ）が人や物などを感知していないときは、接点ａｂがＯＦＦ、接点ｃｂはＯＮであり、センサーＡが人や物などを感知したときには接点ａｂがＯＮ、接点ｃｂがＯＦＦになるように設計されている。【００１５】  センサーＢ（ドアー内側センサースイッチ）が人や物などを感知しているときは、接点ｄｅがＯＦＦ、接点ｆｅはＯＮであり、センサーＢが人や物などを感知したときには接点ｄｅがＯＮ、接点ｆｅがＯＦＦになるように設計されている。【００１６】  通常使用で、オートロック玄関へ入る方法は、鍵スイッチＣを開錠（ＯＮ）して、センサーＡに近づいて感知させることにより、スイッチａｂがＯＮ、スイッチｃｂがＯＦＦになるから、ａ−ｂ−ｅ−ｆが導通し駆動電源Ｇが流れることになり、ドアー開閉駆動装置Ｄが働いて、ドアーＥ及びドアーＦが左右に開く。また、玄関内側から外に出るときは、センサーＢに近づいて感知させることにより、スイッチｄｅがＯＮ、スイッチｆｅがＯＦＦになるから、ｄ−ｅ−ｂ−ｃが導通し駆動電源Ｇが流れることになり、ドアー開閉駆動装置Ｄが働いて、ドアーＥ及びドアーＦが左右に開く。【００１７】  不法侵入を企てる者が、鍵スイッチＣがＯＦＦの状態で、センサーＡに近づくとスイッチａｂがＯＮ、スイッチｃｂがＯＦＦになるから、ａ−ｂ−ｅ−ｆが導通しても、鍵スイッチＣがＯＦＦであるから、ドアー開閉駆動装置Ｄは働かないのでドアーＥ及びドアーＦは開かない。この状態で、ドアーの隙間から紙などを挿入してセンサーＢに感知させると、スイッチｄｅがＯＮ、スイッチｆｅがＯＦＦになるから、ｃｂスイッチ及びｆｅスイッチの両方がＯＦＦの状態になるから、駆動電源Ｇは流れないのでドアー開閉駆動装置Ｄは働かず、ドアーＥ及びドアーＦは開かない。従って、不法侵入を企てる者が、ドアーの隙間から何かを挿入してドアー内側のセンサーＢに感知させて、ドアーを開けようとしても、ドアーを開けることは不可能であり、目的を達成できる効果がある。
【図面の簡単な説明】
【００１８】
【図１】不法侵入防止オートロック自動ドアー開閉装置の実施方法を示した説明図である。
【図２】不法侵入防止オートロック自動ドアー開閉装置のセンサースイッチ回路図及び関連機器機能の電気的回路図である。
【符号の説明】
【００１９】Ａ    ドアー外側センサースイッチ
Ｂ    ドアー内側センサースイッチ
Ｃ    鍵スイッチ
Ｄ    ドアー開閉駆動装置
Ｅ    ドアー
Ｆ    ドアー
Ｇ    駆動電源
ａ    Ａのセンサースイッチ接点
ｂ    Ａのセンサースイッチ支点
ｃ    Ａのセンサースイッチ接点
ｄ    Ｂのセンサースイッチ接点
ｅ    Ｂのセンサースイッチ支点
ｆ    Ｂのセンサースイッチ接点
【図１】
0003103496.tif 000003
【図２】
0003103496.tif 000004